【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
タッチパネルを備えた撮像装置において、
前記タッチパネルに置かれたユーザの指の検出状態に基いて、当該撮像装置の保持状態が複数の保持状態のいずれであるかを判別する保持状態判別手段と、
前記保持状態判別手段により判別された結果に基づいて、手振れ防止のための処理内容の選択を行う制御手段と、
を備えたことを特徴とする撮像装置。
【請求項２】
複数の保持状態の各々に対応させて手振れ防止のための異なる処理内容を予め記憶する記憶手段を更に備え、
前記保持状態判別手段は、現在の保持状態を前記記憶手段に記憶されている複数の保持状態の中から判別し、
前記制御手段は、前記保持状態判別手段により判別された保持状態に対応して前記記憶手段に記憶されている処理内容を選択して手振れ防止のための処理を行うことを特徴とする請求項１に記載の撮像装置。
【請求項３】
手振れを防止するための複数の動作モードを設定する設定手段を更に備え、
前記制御手段が、前記保持状態判別手段において判別された保持状態と設定されている動作モードとに基づいて、手振れ防止のための処理内容の選択を行うことを特徴とする請求項１に記載の撮像装置。
【請求項４】
手振れに影響を与える撮影条件の設定状況を判別する撮影条件判別手段を更に備え、
前記制御手段が、該判別された撮影条件と前記保持状態判別手段において判別された保持状態とに基づいて、手振れ防止のための処理内容の選択を行うことを特徴とする請求項１に記載の撮像装置。
【請求項５】
手振れの発生状態を検出する手振れ検出手段を更に備え、
前記手振れ検出手段により検出された手振れの発生状態と前記保持状態判別手段において判別された保持状態とに基づいて、手振れ防止のための処理内容の選択を行うことを特徴とする請求項１に記載の撮像装置。
【請求項６】
前記制御手段が、前記保持状態判別手段において判別された保持状態に応じて、手振れが発生する可能性があることを警告する処理、手振れに影響を与える撮影条件の設定を自動的に変更する処理、撮影を禁止する処理、手振れ補正機能をＯＮとする処理のうち、少なくとも２つを含む複数の処理を実行することを特徴とする請求項１に記載の撮像装置。
【請求項７】
前記制御手段が、前記保持状態判別手段において判別された保持状態に応じてメッセージの内容を選択して、手振れが発生する可能性があることを警告する処理を実行することを特徴とする請求項１に記載の撮像装置。
【請求項８】
前記制御手段が、前記保持状態判別手段において判別された保持状態に応じて手振れに影響を与える撮影条件を選択して、該撮影条件を自動的に変更する処理を実行することを特徴とする請求項１に記載の撮像装置。
【請求項９】
過去の撮影における保持状態と手振れの発生量とを関連付けて記憶する記憶手段を更に備え、
前記制御手段が、前記記憶手段に記憶された情報に基づいて、最も手振れ量の少ない保持状態を報知することを特徴とする請求項１に記載の撮像装置。
【請求項１０】
過去の撮影における保持状態と手振れの発生量とを関連付けて記憶する記憶手段を更に備え、
前記制御手段が、前記記憶手段に記憶された情報に基づいて、前記保持状態判別手段により判別された保持状態が過去に手振れ量の大きかった保持状態である場合に、警告を発することを特徴とする請求項１に記載の撮像装置。
【請求項１１】
前記保持状態判別手段が、保持状態として、少なくとも両手保持、片手保持、手によらない保持を判別することを特徴とする請求項１に記載の撮像装置。
【請求項１２】
前記保持状態判別手段が、保持状態として、左右各々の指の位置を判別することを特徴とする請求項１または１１に記載の撮像装置。
【請求項１３】
撮影フレームの向きを判別する撮影フレーム判別手段を更に備え、
前記前記保持状態判別手段が、保持状態として、縦向き保持、横向き保持をも判別することを特徴とする請求項１または１１に記載の撮像装置。
【請求項１４】
タッチパネルを有する撮像装置の手振れ補正方法であって、
前記タッチパネルに置かれたユーザの指の検出状態に基いて、当該撮像装置の保持状態が複数の保持状態のいずれであるかを判別する保持状態判別ステップと、
前記保持状態判別ステップにて判別された結果に基づいて、手振れ防止のための処理内容の選択を行う制御ステップと、
を含むことを特徴とする手振れ補正方法。
【請求項１５】
タッチパネルを有する撮像装置のコンピュータを、
前記タッチパネルに置かれたユーザの指の検出状態に基いて、当該撮像装置の保持状態が複数の保持状態のいずれであるかを判別する保持状態判別手段、
前記保持状態判別手段により判別された結果に基づいて、手振れ防止のための処理内容の選択を行う制御手段、
として機能させることを特徴とするプログラム。
【手続補正２】
【補正対象書類名】明細書
【補正対象項目名】発明の名称
【補正方法】変更
【補正の内容】
【発明の名称】撮像装置、手振れ補正方法及びプログラム
【手続補正３】
【補正対象書類名】明細書
【補正対象項目名】０００１
【補正方法】変更
【補正の内容】
【０００１】
本発明は、撮像装置、手振れ補正方法及びプログラムに関し、特に、撮像装置の保持状態を簡易な方法で検出して、検出した保持状態に基づいて、手振れを防止する制御を実行する撮像装置、手振れ補正方法及びプログラムに関する。
【手続補正４】
【補正対象書類名】明細書
【補正対象項目名】０００５
【補正方法】変更
【補正の内容】
【０００５】
そこで、本発明は、上述の課題に鑑みてなされたものであり、撮像装置の保持状態を正
確に検出し、その検出結果により、手振れを防止するための手段を提示する撮像装置、手振れ補正方法及びプログラムを提供することを目的とする。
【手続補正５】
【補正対象書類名】明細書
【補正対象項目名】０００６
【補正方法】変更
【補正の内容】
【０００６】
上記課題を解決するために、請求項１記載の発明の撮像装置にあっては、タッチパネルを備えた撮像装置において、前記タッチパネルに置かれたユーザの指の検出状態に基いて、当該撮像装置の保持状態が複数の保持状態のいずれであるかを判別する保持状態判別手段と、前記保持状態判別手段により判別された結果に基づいて、手振れ防止のための処理内容の選択を行う制御手段と、を備えたことを特徴とする。
【手続補正６】
【補正対象書類名】明細書
【補正対象項目名】０００７
【補正方法】変更
【補正の内容】
【０００７】
また、請求項２記載の発明は、請求項１記載の撮像装置であって、複数の保持状態の各々に対応させて手振れ防止のための異なる処理内容を予め記憶する記憶手段を更に備え、前記保持状態判別手段は、現在の保持状態を前記記憶手段に記憶されている複数の保持状態の中から判別し、前記制御手段は、前記保持状態判別手段により判別された保持状態に対応して前記記憶手段に記憶されている処理内容を選択して手振れ防止のための処理を行うことを特徴とする。
【手続補正７】
【補正対象書類名】明細書
【補正対象項目名】０００８
【補正方法】変更
【補正の内容】
【０００８】
また、請求項３記載の発明は、請求項１記載の撮像装置であって、手振れを防止するための複数の動作モードを設定する設定手段を更に備え、前記制御手段が、前記保持状態判別手段において判別された保持状態と設定されている動作モードとに基づいて、手振れ防止のための処理内容の選択を行うことを特徴とする。
【手続補正８】
【補正対象書類名】明細書
【補正対象項目名】０００９
【補正方法】変更
【補正の内容】
【０００９】
また、請求項４記載の発明は、請求項１に記載の撮像装置であって、手振れに影響を与える撮影条件の設定状況を判別する撮影条件判別手段を更に備え、前記制御手段が、該判別された撮影条件と前記保持状態判別手段において判別された保持状態とに基づいて、手振れ防止のための処理内容の選択を行うことを特徴とする。
【手続補正９】
【補正対象書類名】明細書
【補正対象項目名】００１０
【補正方法】変更
【補正の内容】
【００１０】
また、請求項５記載の発明は、請求項１に記載の撮像装置であって、手振れの発生状態を検出する手振れ検出手段を更に備え、前記手振れ検出手段により検出された手振れの発生状態と前記保持状態判別手段において判別された保持状態とに基づいて、手振れ防止のための処理内容の選択を行うことを特徴とする。
【手続補正１０】
【補正対象書類名】明細書
【補正対象項目名】００１１
【補正方法】変更
【補正の内容】
【００１１】
また、請求項６記載の発明は、請求項１に記載の撮像装置であって、前記制御手段が、前記保持状態判別手段において判別された保持状態に応じて、手振れが発生する可能性があることを警告する処理、手振れに影響を与える撮影条件の設定を自動的に変更する処理、撮影を禁止する処理、手振れ補正機能をＯＮとする処理のうち、少なくとも２つを含む複数の処理を実行することを特徴とする。
【手続補正１１】
【補正対象書類名】明細書
【補正対象項目名】００１２
【補正方法】変更
【補正の内容】
【００１２】
また、請求項７記載の発明は、請求項１に記載の撮像装置であって、前記制御手段が、前記保持状態判別手段において判別された保持状態に応じてメッセージの内容を選択して、手振れが発生する可能性があることを警告する処理を実行することを特徴とする。
【手続補正１２】
【補正対象書類名】明細書
【補正対象項目名】００１３
【補正方法】変更
【補正の内容】
【００１３】
また、請求項８記載の発明は、請求項１に記載の撮像装置であって、前記制御手段が、前記保持状態判別手段において判別された保持状態に応じて手振れに影響を与える撮影条件を選択して、該撮影条件を自動的に変更する処理を実行することを特徴とする。
【手続補正１３】
【補正対象書類名】明細書
【補正対象項目名】００１４
【補正方法】変更
【補正の内容】
【００１４】
また、請求項９記載の発明は、請求項１に記載の撮像装置であって、過去の撮影における保持状態と手振れの発生量とを関連付けて記憶する記憶手段を更に備え、前記制御手段が、前記記憶手段に記憶された情報に基づいて、最も手振れ量の少ない保持状態を報知することを特徴とする。
【手続補正１４】
【補正対象書類名】明細書
【補正対象項目名】００１５
【補正方法】変更
【補正の内容】
【００１５】
また、請求項１０記載の発明は、請求項１に記載の撮像装置であって、過去の撮影における保持状態と手振れの発生量とを関連付けて記憶する記憶手段を更に備え、前記制御手段が、前記記憶手段に記憶された情報に基づいて、前記保持状態判別手段により判別された保持状態が過去に手振れ量の大きかった保持状態である場合に、警告を発することを特徴とする。
【手続補正１５】
【補正対象書類名】明細書
【補正対象項目名】００１６
【補正方法】変更
【補正の内容】
【００１６】
また、請求項１１記載の発明は、請求項１に記載の撮像装置であって、前記保持状態判別手段が、保持状態として、少なくとも両手保持、片手保持、手によらない保持を判別することを特徴とする。
【手続補正１６】
【補正対象書類名】明細書
【補正対象項目名】００１７
【補正方法】変更
【補正の内容】
【００１７】
また、請求項１２記載の発明は、請求項１または１１に記載の撮像装置であって、前記保持状態判別手段が、保持状態として、左右各々の指の位置を判別することを特徴とする。
【手続補正１７】
【補正対象書類名】明細書
【補正対象項目名】００１８
【補正方法】変更
【補正の内容】
【００１８】
また、請求項１３記載の発明は、請求項１または１１に記載の撮像装置であって、撮影フレームの向きを判別する撮影フレーム判別手段を更に備え、前記前記保持状態判別手段が、保持状態として、縦向き保持、横向き保持をも判別することを特徴とする。
【手続補正１８】
【補正対象書類名】明細書
【補正対象項目名】００１９
【補正方法】変更
【補正の内容】
【００１９】
また、請求項１４記載の発明は、タッチパネルを有する撮像装置の手振れ補正方法であって、前記タッチパネルに置かれたユーザの指の検出状態に基いて、当該撮像装置の保持状態が複数の保持状態のいずれであるかを判別する保持状態判別ステップと、前記保持状態判別ステップにて判別された結果に基づいて、手振れ防止のための処理内容の選択を行う制御ステップと、を含むことを特徴とする。
また、請求項１５記載の発明は、タッチパネルを有する撮像装置のコンピュータを、前記タッチパネルに置かれたユーザの指の検出状態に基いて、当該撮像装置の保持状態が複数の保持状態のいずれであるかを判別する保持状態判別手段、前記保持状態判別手段により判別された結果に基づいて、手振れ防止のための処理内容の選択を行う制御手段、として機能させることを特徴とする。